(57)【要約】      （修正有）【課題】安全装置を具備したブレレットの留め金を提供する。【解決手段】ブレレットの留め金として、互いに折れ曲がるよう連結された第１と第２のアーム１，２と、プッシュ部品１５ａ、１５ｂと、ロック機構５４，５６；５５，５７と、安全装置５２，５３とを有し、第１アームの一端は、ブレスレッド・ストランドに取り付けられ、他端は、第２アームの第１端２１に回転可能に連結され、第２アームから第１と第２のバー１１ａ，１１ｂが伸び、第１と第２のバーの自由端１０ａ、１０ｂを、軸真６１が貫通し、カバー３がヒンジで連結され、ロック機構は、力がプッシュ部品に同時にかからない時には、第２アームを第１アームに連結された状態に維持し、安全装置は、力がプッシュ部品とプッシュ部品の反対側のカバー３のフラップに同時にかかった時に、カバー３の横方向の動きが留め金のロックを外すのを阻止する。【選択図】図１
2012196440.tif 000002
【特許請求の範囲】
【請求項１】
互いに折れ曲がるよう連結された第１と第２のアーム（１，２）と、プッシュ部品（１５ａ、１５ｂ）と、ロック機構（５４，５６；５５，５７）と、安全装置（５２，５３；７２，７３）とを有するブレレットの留め金に於いて、
前記第１アーム（１）は、２つの側部（４ａ、４ｂ）を具備し、
前記第１アーム（１）の一端（１５）は、ブレスレッド・ストランド（１４）に取り付けられ、他端（１６）は、前記第２アーム（２）の第１端（２１）に回転可能に連結され、
前記第２アーム（２）から第１と第２のバー（１１ａ，１１ｂ）が伸び、前記第１と第２のバー（１１ａ，１１ｂ）の自由端（１０ａ、１０ｂ）を、軸真（６１、７１）が貫通し、
前記軸真（６１、７１）の周囲に、フラップ（５０、５１）を具備するカバー（３）がヒンジで連結され、前記フラップ（５０、５１）には別のブレスレット・ストランドが取り付けられ、
前記プッシュ部品（１５ａ、１５ｂ）は、前記第１と第２のバー（１１ａ，１１ｂ）に、一体に構成されるか又はそれに取り付けられ、
前記ロック機構（５４，５６；５５，５７）は、力が前記プッシュ部品（１５ａ、１５ｂ）に同時にかからない時には、前記第２アーム（２）を第１アーム（１）に連結された状態に維持し、
前記安全装置（５２，５３；７２，７３）は、力（Ａ、Ｂ）がプッシュ部品と前記プッシュ部品の反対側のカバー（３）のフラップに同時にかかった時に、前記カバー（３）の横方向の動きが留め金のロックを外すことになるのを阻止する
ことを特徴とするブレスレットの留め金。
【請求項２】
前記軸真（６１、７１）は、ピン（６１）であり、
前記ピン（６１）は、第１ノッチ（６２）と第２ノッチ（６３）を具備し、押しつけ部分（６６、６７）を具備する第１チューブ（６４）と第２チューブ（６５）を保持し      前記第１チューブ（６４）と第２チューブ（６５）は、第１フラップ（５０）の自由端（１０ａ、１０ｂ）とカバー（３）の第２フラップ（５１）の間に配置され、
前記安全装置は、前記カバー（３）内に隆起する隆起耳部（５２、５３）から構成され、
前記隆起耳部（５２、５３）は停止部材を形成し、留め金が閉鎖位置にある時には前記第１アーム（１）のサイド（５８、５９）に当たる
ことを特徴とする請求項１記載のブレスレットの留め金。
【請求項３】
前記軸真（６１、７１）は、ピン（７１）であり、
前記ピン（７１）は、前記カバー（３）の第１と第２のフラップ（５０，５１）の内壁（７４，７５）の両側に当たるスペーサ（７０）に搭載され、
前記安全装置は、前記スペーサ（７０）から伸びる第１と第２の延長部分（７２，７３）から構成され、
前記延長部分（７２，７３）は、停止部材を形成し、留め金が閉鎖位置にある時には前記第１アーム（１）のサイド（５８、５９）に当たる
ことを特徴とする請求項１記載のブレスレットの留め金。
【請求項４】
前記第１アーム（１）と第２アーム（２）は、ＭＩＭにより形成され、
前記カバー（３）は、打ち抜き金属又は折り曲げた金属で形成される
ことを特徴とする請求項１記載のブレスレットの留め金。
【発明の詳細な説明】
【技術分野】
【０００１】
本発明は、ブレスレットの留め金に関する。
【背景技術】
【０００２】
本発明は対象とするブレレットの留め金は、互いに折れ曲がるよう連結された第１と第２のアームと、プッシュ部品と、ロック機構とを有する。前記第１アームは、２つの側部を具備し、前記第１アームの一端は、ブレスレッド・ストランドに取り付けられ、他端は、前記第２アームの第１端に回転可能に連結される。前記第２アームから第１と第２のバーが伸び、前記第１と第２のバーの自由端を、軸真が貫通する。前記軸真の周囲に、フラップを具備するカバーがヒンジで連結され、前記フラップには別のブレスレット・ストランドが取り付けられる。前記プッシュ部品は、前記第１と第２のバーに、一体に構成されるか又はそれに取り付けられる。前記ロック機構は、力が前記プッシュ部品に同時にかからない時には、前記第２アームを第１アームに連結された状態に維持する。
従来、
【０００３】
上記の構成に関する留め金は特許文献１に開示されている。ここに開示された留め金はカバーと２個のプッシュ部品を有し、その延長部はカバーの折りたたみ運動の軸とは一体となってはいない。
【先行技術文献】
【特許文献】
【０００４】
【特許文献１】米国特許第１８３２７３４号明細書
【発明の概要】
【発明が解決しようとする課題】
【０００５】
特許文献１はこの留め金により提供される安全性について十分説明していない。即ち、留め金を開けるために２個のプッシュ部品に同時に力を掛ける必要があるか否か或いは１個のプッシュ部品に圧力を掛ければよいのかについての開示がなく、又これによりプッシュ部品とカバーの反対側に同時に力を掛けても同一の結果が得られるのかについては開示されていない。
【課題を解決するための手段】
【０００６】
本発明のブレスレットの留め金は、段落０００２に記載した要件に加えて、安全装置を更に有する。前記安全装置は、力（Ａ、Ｂ）がプッシュ部品と前記プッシュ部品の反対側のカバーのフラップに同時にかかった時に、前記カバーの横方向の動きが留め金のロックを外すことになるのを阻止する。
【図面の簡単な説明】
【０００７】
【図１】広げた状態の本発明のブレスレットの留め金の一実施例の斜視図。
【図２】図１のブレスレットの留め金の様々な構成部品の展開斜視図。
【図３】折りたたんだ状態の図１のブレスレットの留め金の側面図。
【図４】図３のラインＩＶ−ＩＶに沿った断面図。
【図５】ブレスレットの留め金を閉じてロックされ、プッシュ部品が活性化されていない状態の図３のラインＶ−Ｖに沿った断面図。
【図６】ブレスレットの留め金のロックが外され、プッシュ部品が矢印Ａ−Ａ方向に活性化された状態の図３のラインＶＩ−ＶＩに沿った断面図。
【図７】プッシュ部品が矢印Ａ−Ａ方向に活性化された状態の図３のラインＶＩＩ−ＶＩＩに沿った断面図。
【図８】右側のプッシュ部品を矢印Ａの方向に駆動し、カバーに矢印Ｂの方向の力をかけた状態の図３のラインＶＩＩＩ−ＶＩＩＩに沿った断面図。
【図９】広げた状態の本発明のブレスレットの留め金の第２実施例の斜視図。
【図１０】図９のブレスレットの留め金の様々な構成部品の展開斜視図。
【図１１】折りたたんだ状態の図９のブレスレットの留め金の側面図。
【図１２】ブレスレットの留め金がロックされ、プッシュ部品が活性化されていない状態の図１１のラインＸＩＩ−ＸＩＩに沿った断面図。
【図１３】ブレスレットの留め金のロックが外され、プッシュ部品が矢印Ａ−Ａ方向に活性化された状態の図１１のラインＸＩＩＩ−ＸＩＩＩに沿った断面図。
【図１４】プッシュ部品が図１３の矢印Ａ−Ａ方向に活性化された状態の図１１の矢印ＸＩＶの方向から見た底面図。
【図１５】右側のプッシュ部品を矢印Ａの方向に駆動し、カバーに矢印Ｂの方向の力をかけた状態の図１１のラインＸＶ−ＸＶに沿った断面図。
【発明を実施するための形態】
【０００８】
図１−８は、本発明の留め金の第１実施例を示す。
図１、２に於いて、本発明のブレスレットの留め金は第１アーム１を有する。この第１アーム１は側部４ａ、４ｂを有する。第１アーム１の端部５は、ブレスレット・ストランドを収納し、側部４ａ、４ｂを連結するブリッジの形態をとる。側部４ａ、４ｂの他の端部２０は、軸真２２が貫通する。この軸真２２の周囲に第２アーム２の第１端２１がヒンジで連結されている。このヒンジの近傍に、側部４ａ、４ｂがブリッジ２３により連結される。このブリッジ２３は、第１アーム１の剛性を良好なレベルに維持し、第２アームが第１アーム１に折りたたまれた時には、第２アーム２を停止する部材として機能する。第１バー１１ａと第２バー１１ｂは、第２アーム２の第１端２１から伸びる。前記第１バー１１ａと第２バー１１ｂは、自由端１０ａ、１０ｂを有し、そこをピン６１が通過する。このピン６１の周囲にはカバー３がヒンジで連結されている。このカバー３はフラップ５０、５１を具備する。フラップ５０、５１は、ホール８０を有し、ラグ（突起）を収納し、別のブレスレット・ストランドのスタート点となる。
図１、２によれば、プッシュ部品１５ａ、１５ｂは、それぞれ第１バー１１ａと第２バー１１ｂと一体に構成されている。このプッシュ部品１５ａ、１５ｂは、バーの自由端を通るピン６１とは整合しておらず、前記整合点から飛び出している。ロック機構が、力がプッシュ部品１５ａ、１５ｂに同時にかからない時には、第２アーム２を第１アーム１に連結した状態に保持する。このため第１アーム１の側部４ａ、４ｂは、それぞれ固定されたフック５４、５５を搭載する。このフック５４、５５が、それぞれフック５６、５７を収納する。このフック５６、５７は、第１バー１１ａと第２バー１１ｂの可動端に取り付けられる。この連結状態は、図５に示されている。
【０００９】
本発明の留め金は安全装置を有する。この安全装置は、カバー３の横方向の動きを阻止する。この横方向の動きが、力がプッシュ部品とこのプッシュ部品の反対側にあるカバー３のフラップに同時にかかった時に、留め金のロックを偶発的に解除してしまうことがあるからである。
【００１０】
図１−８は、本発明の安全装置の第一実施例を示す。図１−８によれば、軸真は第１バー１１ａと第２バー１１ｂの自由端１０ａ、１０ｂを貫通し、この軸真の周りにカバー３がヒンジで留められる。この軸真は、第１ノッチ６２と第２ノッチ６３を具備するピン６１である。この第１ノッチ６２と第２ノッチ６３は、それぞれ第１チューブ６４と第２チューブ６５を保持する。各第１チューブ６４と第２チューブ６５は押しつけ部分６６、６７を具備する。第１チューブ６４は、第１バー１１ａの自由端１０ａとカバー３の第１フラップ５０の間に配置され、第２チューブ６５は、第２バー１１ｂの自由端１０ｂとカバー３の第２フラップ５１の間に配置される。
【００１１】
実際の安全装置は、カバー３内の第１と第２の隆起耳部５２、５３の形態をとる。この隆起耳部５２、５３は、停止部材を構成し、留め金が閉鎖位置にある時には、第１アーム１の両側に当たる。
【００１２】
図４、５、６、８を参照して、本発明の安全装置の動作を説明する。
【００１３】
図４に於いて、隆起耳部５２、５３は、カバー３の中で立ち上がり、図１、２に示されている。留め金が、図３のように折りたたまれている時には、隆起耳部５２は第１アーム１のサイド５８に当たり、隆起耳部５３は第１アーム１のサイド５９に当たる。このサイド５８、５９は、図１、２に示されている。
【００１４】
図５に於いて、プッシュ部品１５ａ、１５ｂは、駆動されておらず（押されていない）、留め金のロック状態が示されており、この状態に於いて、側部４ａ、４ｂのフック５４、５５は、それぞれ第１バー１１ａと第２バー１１ｂのフック５６、５７の上に搭載されている。
【００１５】
図６に於いて、プッシュ部品１５ａ、１５ｂは、矢印Ａ−Ａの方向に駆動される（押される）。留め金はロックが外され、この状態に於いて、第１バー１１ａと第２バー１１ｂは互いに近づく方向に移動し、それぞれのフック５６、５７を、第１アーム１の側部４ａ、４ｂのフック５４、５５から解放する。この状態を図７に示す。同図に於いて、第１バー１１ａと第２バー１１ｂの自由端１０ａ、１０ｂは、バーの弾性変形を阻止するような停止位置に達する。
【００１６】
図８に於いて、右側の第１プッシュ部品１５ａは矢印Ａの方向に駆動される。第１バー１１ａのフック５６は側部４ａのフック５４から解放される。同一の力を左側の第２プッシュ部品１５ｂにかける代わりに、この力を矢印Ｂの方向にカバー３の左側にかける。この力では留め金の左側部品のロックは外れないが、これは搭載された安全装置のおかげである。この装置は隆起耳部５３（図７）である。この隆起耳部５３が、留め金がかかった位置に於いて、側部４ｂの側にある第１アーム１のサイド５９に当たる。隆起耳部５３が存在しない場合には、カバー３の左側にかかる力Ｂにより、カバー３は右側に動く。カバー３の第２フラップ５１が、その後第２チューブ６５と第２バー１１ｂの自由端１０ｂを同一方向に押して、これによりフック５５、５７を開放し、留め金を開く。      同一の状況は、左側の第２プッシュ部品１５ｂが活性化されて、力がカバー３の右側にかかった時にも起こる。このような状況に於いては、安全装置は活性化された隆起耳部５２である。結論として、留め金を開くために、力は両方のプッシュ部品に同時にかけなけらばならず、そしてカバーにかかるどのような力も、留め金のロックを外す効果はない。
【００１７】
図９−１５は、本発明の留め金の第２実施例を示す。
図９，１０に於いて、本発明のブレスレットの留め金は第１アーム１を有する。この第１アーム１は側部４ａ、４ｂを有する。第１アーム１の端部５は、ブレスレット・ストランドを収納し、側部４ａ、４ｂを連結するブリッジの形態をとる。側部４ａ、４ｂの他の端部２０は、軸真２２が貫通する。この軸真２２の周囲に第２アーム２の第１端２１がヒンジで連結されている。このヒンジの近傍に、側部４ａ、４ｂがブリッジ２３により連結される。このブリッジ２３は、第１アーム１の剛性を良好なレベルに維持し、第２アームが第１アーム１に折りたたまれた時には、第２アーム２を停止する部材として機能する。第１バー１１ａと第２バー１１ｂは、第２アーム２の第１端２１から伸びる。前記第１バー１１ａと第２バー１１ｂは、自由端１０ａ、１０ｂを有し、そこを軸真（ピン）７１が通過する。このピン７１の周囲にはカバー３がヒンジで連結されている。このカバー３は側壁でもあるフラップ５０、５１を具備する。フラップ５０、５１は、ホール８０を有し、ラグ（突起）を収納し、別のブレスレット・ストランドのスタート点となる。
図９，１０によれば、プッシュ部品１５ａ、１５ｂは、それぞれ第１バー１１ａと第２バー１１ｂと一体に構成されている。このプッシュ部品１５ａ、１５ｂは、バーの自由端を通るピン７１とは整合しておらず、前記整合点から飛び出している。ロック機構が、力がプッシュ部品１５ａ、１５ｂに同時にかからない時には、第２アーム２を第１アーム１に連結した状態に保持する。このため第１アーム１の側部４ａ、４ｂは、それぞれ固定されたフック５４、５５を搭載する。このフック５４、５５が、それぞれフック５６、５７を収納する。このフック５６、５７は、第１バー１１ａと第２バー１１ｂの可動端に取り付けられる。この連結状態は、図１２に示されている。
【００１８】
本発明の留め金は安全装置を有する。この安全装置は、カバー３の横方向の動きを阻止する。この横方向の動きが、力がプッシュ部品とこのプッシュ部品の反対側にあるカバー３のフラップに同時にかかった時に、留め金のロックを偶発的に解除してしまうことがあるからである。
【００１９】
図９−１５は、本発明の安全装置の第２実施例を示す。図９−１５によれば、軸真は、第１バー１１ａと第２バー１１ｂの自由端１０ａ、１０ｂを貫通し、この軸真の周りにカバー３がヒンジで留められる。この軸真はピン７１である。ピン７１は、カバー３の第１と第２のフラップ５０，５１の内壁７４，７５の両側に当たるスペーサ７０を搭載する。
【００２０】
実際の安全装置は、スペーサ７０から伸びる第１と第２の延長部７２，７３を採る。第１と第２の延長部７２，７３は、停止部材を構成し、留め金が閉鎖位置にある時には、第１アーム１の両側に当たる。
【００２１】
図１２，１３，１５を参照して、本発明の安全装置の動作を説明する。
【００２２】
図１２に於いて、プッシュ部品１５ａ、１５ｂは、駆動されていない（押されていない）。留め金はロックされ、側部４ａ、４ｂのフック５４、５５は、それぞれ第１バー１１ａと第２バー１１ｂのフック５６、５７の上に搭載されている。
【００２３】
図１３に於いて、プッシュ部品１５ａ、１５ｂは、矢印Ａ−Ａの方向に駆動される（押される）。留め金はロックが外され、この状態に於いて、第１バー１１ａと第２バー１１ｂは互いに近づく方向に移動し、それぞれのフック５６、５７を、第１アーム１の側部４ａ、４ｂのフック５４、５５から解放する。この状態を図１４に示す。同図に於いて、第１バー１１ａと第２バー１１ｂの自由端１０ａ、１０ｂは、バーの弾性変形を阻止するような停止位置に達する。
【００２４】
図１５に於いて、右側の第１プッシュ部品１５ａは矢印Ａの方向に駆動される。第１バー１１ａのフック５６は側部４ａのフック５４から解放される。同一の力を左側の第２プッシュ部品１５ｂにかける代わりに、この力を矢印Ｂの方向にカバー３の左側にかける。この力では留め金の左側部品のロックは外れないが、これは搭載された安全装置のおかげである。この装置は左側の延長部７３（図１４）である。この延長部７３が、留め金がかかった位置に於いて、側部４ｂの側にある第１アーム１のサイド５９に当たる。延長部７３が存在しない場合には、カバー３の左側にかかる力Ｂにより、カバー３は右側に動く。カバー３の第２フラップ５１が、その後スペーサ７０（延長部を有さない）と第２バー１１ｂの自由端１０ｂを同一方向に押して、これによりフック５５、５７を開放し、留め金を開く。
同一の状況は、左側の第２プッシュ部品１５ｂが活性化されて、力がカバー３の右側にかかった時にも起こる。このような状況に於いては、延長部７２が活性化される。
上記の実施例においては、留め金を開くために、力は両方のプッシュ部品に同時にかけなければならない。そしてカバーにかかるどのような力も、留め金のロックを外す効果はない。
【００２５】
カバー３は、金属を切り抜き、折り曲げによっても形成できる。第１アーム１と第２アーム２は、ＭＩＭ（metal injection mould）でも形成できる。
【００２６】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００２７】
１  第１アーム
２  第２アーム
３  カバー
４ａ、４ｂ  側部
５  端部
１０ａ，１０ｂ  自由端
１１ａ  第１バー
１１ｂ  第２バー
２０  他の端部
２１  第１端
２２  軸真
２３  ブリッジ
１５ａ，１５ｂ  プッシュ部品
１５ａ  第１プッシュ部品
１５ｂ  第２プッシュ部品
５０，５１  フラップ
５４，５５  フック
５６，５７  フック
５０  第１フラップ
５１  第２フラップ
５２，５３  隆起耳部
５４，５５  フック
５６、５７  フック
５８  サイド
５９  サイド
５８，５９  サイド
５９  剛性部分
６１  ピン
６２  第１ノッチ
６３  第２ノッチ
６４  第１チューブ
６５  第２チューブ
６６，６７  押しつけ部分
７０  スペーサ
７１  ピン
７２  第１拡張部分
７３  第２拡張部分
７４，７５  内部壁
８０  ホール
【図１】
2012196440.tif 000003
【図２】
2012196440.tif 000004
【図３】
2012196440.tif 000005
【図４】
2012196440.tif 000006
【図５】
2012196440.tif 000007
【図６】
2012196440.tif 000008
【図７】
2012196440.tif 000009
【図８】
2012196440.tif 000010
【図９】
2012196440.tif 000011
【図１０】
2012196440.tif 000012
【図１１】
2012196440.tif 000013
【図１２】
2012196440.tif 000014
【図１３】
2012196440.tif 000015
【図１４】
2012196440.tif 000016
【図１５】
2012196440.tif 000017